(57)【特許請求の範囲】
【請求項１】
ユーザ機器が、スモール・セル及びマクロ・セルのダウンリンク境界と、該スモール・セル及び該マクロ・セルのアップリンク境界との間の領域であるアップリンク−ダウンリンク・アンバランス領域に近接する時に発生したアップリンク及びダウンリンクの内の少なくとも１つにおける無線リンク障害の原因を判定するステップと、
前記無線リンク障害の前記原因に応答して、前記アップリンク−ダウンリンク・アンバランス領域に近接する時のユーザ機器アップリンク−ダウンリンク・デカップリング−再カップリングの制御を最適化するためのアクションを開始するステップと、
を含み、
前記ダウンリンク境界は、前記マクロ・セルからの受信パイロット電力と前記スモール・セルからの受信パイロット電力とが同一になるところであり、前記アップリンク境界は、該マクロ・セルへのアップリンク経路損と該スモール・セルへのアップリンク経路損とが同一になるところであり、
前記判定するステップは、前記無線リンク障害が、アップリンク・ストリームおよびダウンリンク・ストリームが異なるセルによってサービスされるアップリンク−ダウンリンク・デカップリング、およびアップリンク・ストリームおよびダウンリンク・ストリームが同じセルによってサービスされるアップリンク−ダウンリンク再カップリングのうちの１つが早すぎまたは遅すぎのうちの１つで発生することに起因して発生したことを判定するステップを含み、
前記アクションを開始するステップは、アップリンク−ダウンリンク・デカップリングおよびアップリンク−ダウンリンク再カップリングのうちの対応する１つを、以前より遅くおよび以前より早くのうちの対応する１つで実行するようにユーザ機器の制御を調整することによりアクションを開始する、
無線遠隔通信ネットワーク・ノードの方法。
【請求項２】
前記判定するステップは、前記無線リンク障害が前記アップリンクで発生したことを判定するステップを含む、請求項１に記載の方法。
【請求項３】
前記判定するステップは、前記無線リンク障害が、
しきい量より強い干渉が前記アップリンク上で前記ネットワーク・ノードによって受信され、前記干渉の減少と一致する前記ネットワーク・ノードへのユーザ機器のハンドオーバがこれに続き、前記アクションを開始するステップが、以前より早くアップリンク−ダウンリンク・デカップリングを実行するようにユーザ機器の制御を最適化するステップを含む時に、アップリンク−ダウンリンク・デカップリングの発生が遅すぎることと、
ユーザ機器のアップリンク−ダウンリンク再カップリングの後で、しきい量より強い干渉が前記アップリンク上で前記ネットワーク・ノードによって受信され、前記干渉の減少と一致する前記ネットワーク・ノードへのユーザ機器のハンドオーバがこれに続き、前記アクションを開始するステップが、以前より遅くアップリンク−ダウンリンク再カップリングを実行するようにユーザ機器の制御を最適化するステップを含む時に、アップリンク−ダウンリンク再カップリングの発生が早すぎることと、
しきい量の時間より長い間の前記ユーザ機器のアップリンク−ダウンリンク・デカップリング、続いてユーザ機器のアップリンク−ダウンリンク再カップリングの後で、前記無線リンク障害がアップリンクで発生し、前記アクションを開始するステップが、以前より早くアップリンク−ダウンリンク再カップリングを実行するようにユーザ機器の制御を最適化するステップを含む時に、アップリンク−ダウンリンク再カップリングの発生が遅すぎることと、
前記無線リンク障害が、ユーザ機器のアップリンク−ダウンリンク・デカップリングに続くしきい量の時間以内にアップリンクで発生し、前記アクションを開始するステップが、以前より遅くアップリンク−ダウンリンク・デカップリングを実行するようにユーザ機器の制御を最適化するステップを含む時に、アップリンク−ダウンリンク・デカップリングの発生が早すぎることと
のうちの少なくとも１つに起因してアップリンクで発生したと判定するステップを含む、請求項１または２に記載の方法。
【請求項４】
前記判定するステップは、前記ユーザ機器から受信された無線リンク障害メッセージに応答して、前記無線リンク障害が前記ダウンリンクで発生したと判定するステップを含む、請求項１乃至３のいずれか１項に記載の方法。
【請求項５】
前記無線リンク障害メッセージは、前記アップリンク−ダウンリンク・デカップリングおよびアップリンク−ダウンリンク再カップリングのうちの前記１つが、早すぎおよび遅すぎのうちの１つで発生したことを示す、請求項４に記載の方法。
【請求項６】
前記無線リンク障害メッセージは、前記無線リンク障害が発生した時のダウンリンク・サービング・セルおよびアップリンク・サービング・セルの表示のうちの少なくとも１つを含む、請求項４または５に記載の方法。
【請求項７】
前記アクションを開始するステップは、前記アップリンク−ダウンリンク・アンバランス領域に近接する時のユーザ機器アップリンク−ダウンリンク・デカップリング−再カップリングの制御の責任を負うネットワーク・ノードに、前記無線リンク障害の前記原因および前記アクションのうちの少なくとも１つの表示を提供するステップを含む、請求項１乃至６のいずれか１項に記載の方法。
【請求項８】
前記判定するステップは、別のネットワーク・ノードから受信された前記無線リンク障害の前記原因および前記アクションの前記表示のうちの少なくとも１つに応答して、前記無線リンク障害がアップリンクで発生したと判定するステップを含む、請求項１乃至７のいずれか１項に記載の方法。
【請求項９】
前記アクションを開始するステップは、しきい値を超える無線リンク障害が判定される時に、前記アップリンク−ダウンリンク・アンバランス領域に近接する時のユーザ機器アップリンク−ダウンリンク・デカップリング−再カップリングの制御を最適化するためにアクションを開始するステップを含む、請求項１乃至８のいずれか１項に記載の方法。
【請求項１０】
前記アクションを開始するステップは、前記アップリンク−ダウンリンク・アンバランス領域を定義するアップリンク境界およびダウンリンク境界と、前記ユーザ機器アップリンク−ダウンリンク・デカップリング−再カップリングをトリガするパラメータとのうちの少なくとも１つを調整するステップを含む、請求項１乃至９のいずれか１項に記載の方法。
【請求項１１】
ユーザ機器が、スモール・セル及びマクロ・セルのダウンリンク境界と、該スモール・セル及び該マクロ・セルのアップリンク境界との間の領域であるアップリンク−ダウンリンク・アンバランス領域に近接する時に発生したアップリンク及びダウンリンクの内の少なくとも１つにおける無線リンク障害の原因を判定し、
前記無線リンク障害が、アップリンク・ストリームおよびダウンリンク・ストリームが異なるセルによってサービスされるアップリンク−ダウンリンク・デカップリング、およびアップリンク・ストリームおよびダウンリンク・ストリームが同じセルによってサービスされるアップリンク−ダウンリンク再カップリングのうちの１つが早すぎまたは遅すぎのうちの１つで発生することに起因して発生したことを判定し、
前記無線リンク障害の前記原因に応答して、アップリンク−ダウンリンク・デカップリングおよびアップリンク−ダウンリンク再カップリングのうちの対応する１つを、以前より遅くおよび以前より早くのうちの対応する１つで実行するようにユーザ機器の制御を調整することにより、前記アップリンク−ダウンリンク・アンバランス領域に近接する時のユーザ機器アップリンク−ダウンリンク・デカップリング−再カップリングの制御を最適化するためのアクションを開始する、
ように動作可能な判定論理、
を含み、
前記ダウンリンク境界は、前記マクロ・セルからの受信パイロット電力と前記スモール・セルからの受信パイロット電力とが同一になるところであり、前記アップリンク境界は、該マクロ・セルへのアップリンク経路損と該スモール・セルへのアップリンク経路損とが同一になるところである、
無線遠隔通信ネットワーク・ノード。
【請求項１２】
無線遠隔通信ユーザ機器の方法であって、
前記ユーザ機器が、スモール・セル及びマクロ・セルのダウンリンク境界と、該スモール・セル及び該マクロ・セルのアップリンク境界との間の領域であるアップリンク−ダウンリンク・アンバランス領域に近接する時にダウンリンクで発生した無線リンク障害の原因を判定するステップと、
前記無線リンク障害の前記原因に応答して、前記アップリンク−ダウンリンク・アンバランス領域に近接する時のユーザ機器アップリンク−ダウンリンク・デカップリング−再カップリングの制御を最適化するためのアクションを開始するステップと、
を含み、
前記ダウンリンク境界は、前記マクロ・セルからの受信パイロット電力と前記スモール・セルからの受信パイロット電力とが同一になるところであり、前記アップリンク境界は、該マクロ・セルへのアップリンク経路損と該スモール・セルへのアップリンク経路損とが同一になるところであり、
前記判定するステップは、前記無線リンク障害が、アップリンク・ストリームおよびダウンリンク・ストリームが異なるセルによってサービスされるアップリンク−ダウンリンク・デカップリング、およびアップリンク・ストリームおよびダウンリンク・ストリームが同じセルによってサービスされるアップリンク−ダウンリンク再カップリングのうちの１つが早すぎまたは遅すぎのうちの１つで発生することに起因して発生したことを判定するステップを含み、
前記アクションを開始するステップは、前記アップリンク−ダウンリンク・デカップリングおよびアップリンク−ダウンリンク再カップリングのうちの１つが早すぎおよび遅すぎのうちの１つで発生したことを示す無線リンク障害メッセージを送信するステップを含み、
方法。
【請求項１３】
前記判定するステップは、前記無線リンク障害が、
ユーザ機器のアップリンク−ダウンリンク・デカップリングに続くしきい量の時間の後に前記無線リンク障害が前記ダウンリンクで発生し、前記アクションを開始するステップが、以前より早くアップリンク−ダウンリンク再カップリングを実行するようにユーザ機器の制御を最適化するステップを含む時に、アップリンク−ダウンリンク再カップリングの発生が遅すぎることと、
以前にアップリンクを受信したセルへのアップリンク−ダウンリンク再カップリングに続くしきい量の時間内に前記無線リンク障害がダウンリンクで発生し、前記アクションを開始するステップが、以前より遅くアップリンク−ダウンリンク再カップリングを実行するようにユーザ機器の制御を最適化するステップを含む時に、アップリンク−ダウンリンク再カップリングの発生が早すぎることと、
アップリンク−ダウンリンク・デカップリングに関して構成されることに続くしきい量の時間内であるが、前記アップリンク−ダウンリンク・デカップリングが発生する前に、前記無線リンク障害がダウンリンクで発生し、前記アクションを開始するステップが、以前より早くアップリンク−ダウンリンク・デカップリングを実行するようにユーザ機器の制御を最適化するステップを含む時に、アップリンク−ダウンリンク・デカップリングの発生が遅すぎることと、
アップリンク−ダウンリンク・デカップリングの開始に続くしきい量の時間内に前記無線リンク障害がダウンリンクで発生し、前記アクションを開始するステップが、以前より遅くアップリンク−ダウンリンク・デカップリングを実行するようにユーザ機器の制御を最適化するステップを含む時に、アップリンク−ダウンリンク・デカップリングの発生が早すぎることと
のうちの少なくとも１つに起因してダウンリンクで発生したと判定するステップを含む、請求項１２に記載の方法。
【請求項１４】
無線遠隔通信ユーザ機器であって、
前記ユーザ機器が、スモール・セル及びマクロ・セルのダウンリンク境界と、該スモール・セル及び該マクロ・セルのアップリンク境界との間の領域であるアップリンク−ダウンリンク・アンバランス領域に近接する時にダウンリンクで発生した無線リンク障害の原因を判定し、
前記無線リンク障害が、アップリンク・ストリームおよびダウンリンク・ストリームが異なるセルによってサービスされるアップリンク−ダウンリンク・デカップリング、およびアップリンク・ストリームおよびダウンリンク・ストリームが同じセルによってサービスされるアップリンク−ダウンリンク再カップリングのうちの１つが早すぎまたは遅すぎのうちの１つで発生することに起因して発生したことを判定し、
前記無線リンク障害の前記原因に応答して、前記アップリンク−ダウンリンク・デカップリングおよびアップリンク−ダウンリンク再カップリングのうちの１つが早すぎおよび遅すぎのうちの１つで発生したことを示す無線リンク障害メッセージを送信することにより、前記アップリンク−ダウンリンク・アンバランス領域に近接する時のユーザ機器アップリンク−ダウンリンク・デカップリング−再カップリングの制御を最適化するためのアクションを開始する、
ように動作可能な判定論理、
を含み、
前記ダウンリンク境界は、前記マクロ・セルからの受信パイロット電力と前記スモール・セルからの受信パイロット電力とが同一になるところであり、前記アップリンク境界は、該マクロ・セルへのアップリンク経路損と該スモール・セルへのアップリンク経路損とが同一になるところである、
無線遠隔通信ユーザ機器。
【発明の詳細な説明】
【技術分野】
【０００１】
本発明は、無線遠隔通信ネットワーク・ノード、方法、およびコンピュータ・プログラム製品に関する。
【背景技術】
【０００２】
無線遠隔通信ネットワークが既知である。そのようなネットワークでは、モバイル通信デバイス（たとえば、携帯電話機）が、ネットワーク・プロバイダによって提供される基地局と通信するように動作可能である。
【０００３】
既知の無線遠隔通信ネットワークでは、無線カバレッジは、セルと称するエリア内で、携帯電話機などのネットワーク接続可能デバイスまたはタブレットなどの無線デバイスに提供される。基地局は、無線カバレッジを提供するために、各セル内に配置される。通常、各セル内のネットワーク接続可能デバイスは、基地局から情報およびデータを受信し、基地局に情報およびデータを送信するように動作可能である。
【０００４】
ユーザ機器は、無線通信ネットワークの至る所をローミングする。通常、無線カバレッジの複数のエリアをサポートする基地局が、複数設けられる。ユーザ機器にカバレッジの広いエリアを提供するために、そのような基地局がいくつか設けられ、地理的に分散される。
【０００５】
ユーザ機器が、ある基地局によってサービスされるエリア内にある時に、通信を、ユーザ機器と基地局との間で、関連する無線リンクを介して確立することができる。
【０００６】
従来の基地局は、相対的に広い地理的エリア内でカバレッジを提供し、これらのセルは、しばしば、マクロ・セルと呼ばれる。より小さいサイズのセルがマクロ・セル内で提供される、異種ネットワーク（ＨｅｔＮｅｔ）を提供することが可能である。そのようなより小さいサイズのセルは、時々、低電力ノード（ｌｏｗ−ｐｏｗｅｒ  ｎｏｄｅ、ＬＰＮ）、マイクロ・セル、ピコ・セル、またはフェムト・セルと呼ばれる。スモール・セルを確立する１つの形は、マクロ・セルのカバレッジ・エリア内で相対的に限られた範囲を有するカバレッジを提供するスモール・セル基地局を提供することである。スモール・セル基地局の送信電力は、相対的に低く、したがって、各スモール・セルは、マクロ・セルのカバレッジ・エリアと比較して小さいカバレッジ・エリアを提供し、たとえばオフィスまたは家庭をカバーする。
【０００７】
そのようなスモール・セルは、通常、マクロ・セルによって提供される通信カバレッジが劣悪であるか、ユーザが、コア・ネットワークと通信するためおよび／またはネットワーク内の容量を増やすために、スモール・セル基地局によってローカルに提供される代替通信リンクを使用することを望む場合に提供される。
【０００８】
無線通信ネットワークでのスモール・セルの配置は、高トラフィック・エリア、たとえばいわゆるホット・スポット・エリアでの容量のハンドリングに関してネットワークを支援することができる。ネットワークの高トラフィック・エリア内に配置された１つまたは複数のスモール・セルにトラフィックをオフロードする能力は、ネットワーク・オペレータにとって特に有用である可能性がある。
【発明の概要】
【発明が解決しようとする課題】
【０００９】
ＨｅｔＮｅｔ配置は、利点を提供することができるが、そのような配置の予期されない結果が発生する可能性がある。これらの結果に対処することが望まれる。
【課題を解決するための手段】
【００１０】
第１の態様によれば、ユーザ機器がアップリンク−ダウンリンク・アンバランス領域に近接する時に発生した無線リンク障害の原因を判定するステップと、無線リンク障害の原因に応答して、アップリンク−ダウンリンク・アンバランス領域に近接する時のユーザ機器アップリンク−ダウンリンク・デカップリング（ｄｅｃｏｕｐｌｉｎｇ）−再カップリング（ｒｅｃｏｕｐｌｉｎｇ）の制御を最適化するためにアクションを開始するステップとを含む、無線遠隔通信ネットワーク・ノードの方法が提供される。
【００１１】
スモール・セルは、単純なプラグ・アンド・プレイ配置を可能にするために、広範囲の自動構成能力および自己最適化能力を有し、既存のマクロ・セルラ・ネットワークにそれら自体を自動的に一体化するように設計されている。スモール・セルとマクロ・セルとの両方を配置されたネットワークは、異種ネットワーク（ＨｅｔＮｅｔ）と呼ばれる。
【００１２】
ＨｅｔＮｅｔ配置では、スモール・セルは、システムのカバレッジおよび／または容量を改善するために、マクロ・セル・カバレッジの下で配置される。図１は、マクロ・セルおよびスモール・セルを有するＨｅｔＮｅｔ配置を示す。この図では、ＵＬ（アップリンク）境界は、マクロ・セルへのＵＥアップリンク経路損とスモール・セルへのＵＥアップリンク経路損とが同一になるところである。ＤＬ（ダウンリンク）境界は、マクロ・セルからの受信パイロット電力とスモール・セルからの受信パイロット電力とがＵＥで同一になるところである。これは、ＵＬ境界とＤＬ境界とがネットワーク内の同一の点にある同種ネットワーク（すなわち、マクロ・セルのみの配置）とは異なる。しかし、ＨｅｔＮｅｔ配置では、スモール・セルは、マクロ・セルより低い送信電力を有する。これの結果として、ＵＬ境界とＤＬ境界とが、図１に示されているように異なる。ＵＬ境界とＤＬ境界との間の領域は、ＵＬ−ＤＬアンバランス領域と呼ばれる。
【００１３】
マクロ・セルに接続されたＵＬ−ＤＬアンバランス領域内のＵＥ（図１に示されているように）は、スモール・セルに対する強い干渉を生じる。このシナリオは、ＬＴＥ無線アクセス技術とＵＭＴＳ無線アクセス技術との両方に適用可能である。ＵＭＴＳでは、ＵＥが、図１に示されているようにＳＨＯ（ソフト・ハンドオーバ）領域内にない場合に、強いアップリンク干渉が発生する。
【００１４】
ＵＬ境界とＤＬ境界との差を考慮して、アップリンクおよびダウンリンクがデカップリングされ、これによって、アップリンク・ストリームおよびダウンリンク・ストリームが異なるセルによってサービスされることが、提案される。図１の例では、ダウンリンクは、サービング・マクロ・セルによってサービスされるが、アップリンクは、スモール・セルによってサービスされる。したがって、スモール・セルに対する強い干渉を生成するのではなく、スモール・セルは、このＵＥに関するＵＬ信号を復調する。
【００１５】
しかし、第１の態様は、ＵＬ−ＤＬアンバランス領域が確立される時に発生する可能性がある問題の検出を記述する既知の解決策がないことを認めるものである。
【００１６】
したがって、無線遠隔通信ネットワーク・ノードのための方法が提供される。この方法は、ユーザ機器がアップリンク−ダウンリンク・アンバランス領域に近接する時に発生した無線リンク障害のありそうな原因または理由を判定しまたは確立するステップを含むことができる。ユーザ機器は、その領域に隣接し、それに近く、またはその中にある時に、そのような領域に近接することを了解されたい。この方法は、無線リンク障害の原因が判定された時に、アップリンク−ダウンリンク・アンバランス領域に近接する時のユーザ機器アップリンク−ダウンリンク・デカップリング−再カップリングの制御を最適化しまたは調整するアクションを開始しまたは始めるステップをも含むことができる。この形で、無線リンク障害の原因を確立することによって、そのような無線リンク障害が将来に発生することを防ぐのを助けるために、ユーザ機器アップリンク−ダウンリンク・デカップリング−再カップリング手順を変更するためにアクションを行うことが可能である。
【００１７】
一実施形態では、判定するステップは、無線リンク障害が、アップリンク−ダウンリンク・デカップリングおよびアップリンク−ダウンリンク再カップリングのうちの１つが、早すぎおよび遅すぎのうちの１つで発生することに起因してアップリンクで発生したことを判定するステップを含み、アクションを開始するステップは、アップリンク−ダウンリンク・デカップリングおよびアップリンク−ダウンリンク再カップリングのうちの対応する１つを、以前より遅くおよび以前より早くのうちの対応する１つで実行するようにユーザ機器の制御を最適化するステップを含む。したがって、デカップリングまたは再カップリングが早すぎるまたは遅すぎるのいずれかで発生したことと、これが無線リンク障害を引き起こしたこととを判定することができる。この方法は、デカップリング手順または再カップリング手順のいずれかが現在発生するのより遅くまたはより早くのいずれかで実行されるように最適化しまたは適合させるために何らかのアクションを行うことを含むこともできる。言い換えると、デカップリングまたは再カップリングの発生が早すぎると判定された場合には、デカップリングまたは再カップリングは、より遅く発生するように最適化される。同様に、デカップリングまたは再カップリングの発生が遅すぎると判定された場合には、これが、より早く発生するように最適化される。
【００１８】
一実施形態では、判定するステップは、しきい量より強い干渉がアップリンク上でネットワーク・ノードによって受信された時に、アップリンク−ダウンリンク・デカップリングの発生が遅すぎることに起因して無線リンク障害がアップリンクで発生したと判定するステップを含み、干渉の減少と一致するネットワーク・ノードへのユーザ機器のハンドオーバがこれに続き、アクションを開始するステップが、以前より早くアップリンク−ダウンリンク・デカップリングを実行するようにユーザ機器の制御を最適化するステップを含む。
【００１９】
一実施形態では、判定するステップは、ユーザ機器のアップリンク−ダウンリンク再カップリングの後で、しきい量より強い干渉がアップリンク上でネットワーク・ノードによって受信された時に、アップリンク−ダウンリンク再カップリングの発生が早すぎることに起因して無線リンク障害がアップリンクで発生したと判定するステップを含み、干渉の減少と一致するネットワーク・ノードへのユーザ機器のハンドオーバがこれに続き、アクションを開始するステップが、以前より遅くアップリンク−ダウンリンク再カップリングを実行するようにユーザ機器の制御を最適化するステップを含む。
【００２０】
一実施形態では、判定するステップは、しきい量の時間より長い間のユーザ機器のアップリンク−ダウンリンク・デカップリング、これに続くユーザ機器のアップリンク−ダウンリンク再カップリングの後で、無線リンク障害がアップリンクで発生した時に、アップリンク−ダウンリンク再カップリングの発生が遅すぎることに起因して無線リンク障害がアップリンクで発生したと判定するステップを含み、アクションを開始するステップが、以前より早くアップリンク−ダウンリンク再カップリングを実行するようにユーザ機器の制御を最適化するステップを含む。
【００２１】
一実施形態では、判定するステップは、ユーザ機器のアップリンク−ダウンリンク・デカップリングの後で、無線リンク障害がしきい量の時間以内にアップリンクで発生した時に、アップリンク−ダウンリンク・デカップリングの発生が早すぎることに起因して無線リンク障害がアップリンクで発生したと判定するステップを含み、アクションを開始するステップが、以前より遅くアップリンク−ダウンリンク・デカップリングを実行するようにユーザ機器の制御を最適化するステップを含む。
【００２２】
一実施形態では、判定するステップは、ユーザ機器から受信された無線リンク障害メッセージに応答して、無線リンク障害がダウンリンクで発生したと判定するステップを含む。したがって、無線リンク障害の発生を、ユーザ機器から受信されるメッセージングによって示すことができる。
【００２３】
一実施形態では、無線リンク障害メッセージは、アップリンク−ダウンリンク・デカップリングおよびアップリンク−ダウンリンク再カップリングのうちの１つが、早すぎおよび遅すぎのうちの１つで発生したことを示し、アクションを開始するステップは、無線リンク障害メッセージに応答して、アップリンク−ダウンリンク・デカップリングおよびアップリンク−ダウンリンク再カップリングのうちの対応する１つを、以前より遅くおよび以前より早くのうちの対応する１つで実行するようにユーザ機器の制御を最適化するステップを含む。したがって、このメッセージは、無線リンク障害の原因を示すことができ、対応するアクションが、異なる時に発生するようにデカップリングまたは再カップリングを構成するために行われ得る。
【００２４】
一実施形態では、無線リンク障害メッセージは、無線リンク障害が発生した時のダウンリンク・サービング・セルおよびアップリンク・サービング・セルの表示のうちの少なくとも１つを含む。
【００２５】
一実施形態では、アクションを開始するステップは、アップリンク−ダウンリンク・アンバランス領域に近接する時のユーザ機器アップリンク−ダウンリンク・デカップリング−再カップリングの制御の責任を負うネットワーク・ノードに、無線リンク障害の原因およびアクションのうちの少なくとも１つの表示を提供するステップを含む。したがって、デカップリング手順または再カップリング手順を制御する責任を負うネットワーク・ノードは、そのネットワーク・ノードが適当なアクションを行えるようにするために、障害が発生したことを通知される。
【００２６】
一実施形態では、判定するステップは、別のネットワーク・ノードから受信された無線リンク障害の原因およびアクションの表示のうちの少なくとも１つに応答して、無線リンク障害がアップリンクで発生したと判定するステップを含む。
【００２７】
一実施形態では、アクションを開始するステップは、しきい値を超える無線リンク障害が判定される時に、アップリンク−ダウンリンク・アンバランス領域に近接する時のユーザ機器アップリンク−ダウンリンク・デカップリング−再カップリングの制御を最適化するためにアクションを開始するステップを含む。したがって、すべての無線リンク障害に応答するのではなく、それを超えた時に最適化が行われることをもたらすしきい値を定義することができる。これは、ネットワークの安定性を改善するのを助ける。
【００２８】
一実施形態では、アクションを開始するステップは、アップリンク−ダウンリンク・アンバランス領域を定義するアップリンク境界およびダウンリンク境界と、ユーザ機器アップリンク−ダウンリンク・デカップリング−再カップリングをトリガするパラメータとのうちの少なくとも１つを調整するステップを含む。したがって、アップリンク境界および／またはダウンリンク境界の位置を変更するために、送信電力を調整することができる。同様に、デカップリング手順または再カップリング手順が開始される時を変更するために、ユーザ機器がデカップリングまたは再カップリングをトリガするさまざまな測定レポートを行うしきい値などのパラメータを調整することができる。
【００２９】
第２の態様によれば、ユーザ機器がアップリンク−ダウンリンク・アンバランス領域に近接する時に発生した無線リンク障害の原因を判定し、無線リンク障害の原因に応答して、アップリンク−ダウンリンク・アンバランス領域に近接する時のユーザ機器アップリンク−ダウンリンク・デカップリング−再カップリングの制御を最適化するためにアクションを開始するように動作可能な判定論理を含む、無線遠隔通信ネットワーク・ノードが提供される。
【００３０】
一実施形態では、判定論理は、無線リンク障害が、アップリンク−ダウンリンク・デカップリングおよびアップリンク−ダウンリンク再カップリングのうちの１つが早すぎおよび遅すぎのうちの１つで発生することに起因してアップリンクで発生したことを判定し、アップリンク−ダウンリンク・デカップリングおよびアップリンク−ダウンリンク再カップリングのうちの対応する１つを、以前より遅くおよび以前より早くのうちの対応する１つで実行するようにユーザ機器の制御を最適化するように動作可能である。
【００３１】
一実施形態では、判定論理は、しきい量より強い干渉がアップリンク上でネットワーク・ノードによって受信された時にアップリンク−ダウンリンク・デカップリングの発生が遅すぎることに起因して無線リンク障害がアップリンクで発生したと判定し、干渉の減少と一致するネットワーク・ノードへのユーザ機器のハンドオーバがこれに続き、以前より早くアップリンク−ダウンリンク・デカップリングを実行するようにユーザ機器の制御を最適化するように動作可能である。
【００３２】
一実施形態では、判定論理は、ユーザ機器のアップリンク−ダウンリンク再カップリングの後で、しきい量より強い干渉がアップリンク上でネットワーク・ノードによって受信された時にアップリンク−ダウンリンク再カップリングの発生が早すぎることに起因して無線リンク障害がアップリンクで発生したと判定し、干渉の減少と一致するネットワーク・ノードへのユーザ機器のハンドオーバがこれに続き、以前より遅くアップリンク−ダウンリンク再カップリングを実行するようにユーザ機器の制御を最適化するように動作可能である。
【００３３】
一実施形態では、判定論理は、しきい量の時間より長い間のユーザ機器のアップリンク−ダウンリンク・デカップリング、これに続くユーザ機器のアップリンク−ダウンリンク再カップリングの後で、無線リンク障害がアップリンクで発生した時に、アップリンク−ダウンリンク再カップリングの発生が遅すぎることに起因して無線リンク障害がアップリンクで発生したと判定する、以前より早くアップリンク−ダウンリンク再カップリングを実行するようにユーザ機器の制御を最適化するように動作可能である。
【００３４】
一実施形態では、判定論理は、ユーザ機器のアップリンク−ダウンリンク・デカップリングの後で、無線リンク障害がしきい量の時間以内にアップリンクで発生した時に、アップリンク−ダウンリンク・デカップリングの発生が早すぎることに起因して無線リンク障害がアップリンクで発生したと判定し、以前より遅くアップリンク−ダウンリンク・デカップリングを実行するようにユーザ機器の制御を最適化するように動作可能である。
【００３５】
一実施形態では、判定論理は、ユーザ機器から受信された無線リンク障害メッセージに応答して、無線リンク障害がダウンリンクで発生したと判定するように動作可能である。
【００３６】
一実施形態では、無線リンク障害メッセージは、アップリンク−ダウンリンク・デカップリングおよびアップリンク−ダウンリンク再カップリングのうちの１つが、早すぎおよび遅すぎのうちの１つで発生したことを示し、判定論理は、無線リンク障害メッセージに応答して、アップリンク−ダウンリンク・デカップリングおよびアップリンク−ダウンリンク再カップリングのうちの対応する１つを、以前より遅くおよび以前より早くのうちの対応する１つで実行するようにユーザ機器の制御を最適化するように動作可能である。
【００３７】
一実施形態では、無線リンク障害メッセージは、無線リンク障害が発生した時のダウンリンク・サービング・セルおよびアップリンク・サービング・セルの表示のうちの少なくとも１つを含む。
【００３８】
一実施形態では、判定論理は、アップリンク−ダウンリンク・アンバランス領域に近接する時のユーザ機器アップリンク−ダウンリンク・デカップリング−再カップリングの制御の責任を負うネットワーク・ノードに、無線リンク障害の原因およびアクションのうちの少なくとも１つの表示を提供することによって制御を最適化するアクションを開始するように動作可能である。
【００３９】
一実施形態では、判定論理は、別のネットワーク・ノードから受信された無線リンク障害の原因およびアクションの表示のうちの少なくとも１つに応答して、無線リンク障害がアップリンクで発生したと判定するように動作可能である。
【００４０】
一実施形態では、判定論理は、しきい値を超える無線リンク障害が判定される時に、アップリンク−ダウンリンク・アンバランス領域に近接する時のユーザ機器アップリンク−ダウンリンク・デカップリング−再カップリングの制御を最適化するように動作可能である。
【００４１】
一実施形態では、判定論理は、アップリンク−ダウンリンク・アンバランス領域を定義するアップリンク境界およびダウンリンク境界と、ユーザ機器アップリンク−ダウンリンク・デカップリング−再カップリングをトリガするパラメータとのうちの少なくとも１つを調整することによってアクションを開始するように動作可能である。
【００４２】
第３の態様によれば、無線遠隔通信ユーザ機器の方法であって、ユーザ機器がアップリンク−ダウンリンク・アンバランス領域に近接する時に発生した無線リンク障害の原因を判定するステップと、無線リンク障害の原因に応答して、アップリンク−ダウンリンク・アンバランス領域に近接する時のユーザ機器アップリンク−ダウンリンク・デカップリング−再カップリングの制御を最適化するためにアクションを開始するステップとを含む方法が提供される。
【００４３】
一実施形態では、判定するステップは、無線リンク障害が、アップリンク−ダウンリンク・デカップリングおよびアップリンク−ダウンリンク再カップリングのうちの１つが早すぎおよび遅すぎのうちの１つで発生することに起因してダウンリンクで発生したことを判定するステップを含み、アクションを開始するステップは、アップリンク−ダウンリンク・デカップリングおよびアップリンク−ダウンリンク再カップリングのうちの１つが早すぎおよび遅すぎのうちの１つで発生したことを示す無線リンク障害メッセージを送信するステップを含む。
【００４４】
一実施形態では、判定するステップは、ユーザ機器のアップリンク−ダウンリンク・デカップリングの後で、しきい量の時間の後に無線リンク障害がダウンリンクで発生した時に、アップリンク−ダウンリンク再カップリングの発生が遅すぎることに起因して無線リンク障害がダウンリンクで発生したと判定するステップを含み、アクションを開始するステップが、以前より早くアップリンク−ダウンリンク再カップリングを実行するようにユーザ機器の制御を最適化するステップを含む。
【００４５】
一実施形態では、判定するステップは、以前にアップリンクを受信したセルへのアップリンク−ダウンリンク再カップリングの後で、しきい量の時間内に無線リンク障害がダウンリンクで発生した時に、アップリンク−ダウンリンク再カップリングの発生が早すぎることに起因して無線リンク障害がダウンリンクで発生したと判定するステップを含み、アクションを開始するステップが、以前より遅くアップリンク−ダウンリンク再カップリングを実行するようにユーザ機器の制御を最適化するステップを含む。
【００４６】
一実施形態では、判定するステップは、アップリンク−ダウンリンク・デカップリングに関して構成されることに続くしきい量の時間内であるが、アップリンク−ダウンリンク・デカップリングが発生する前に、無線リンク障害がダウンリンクで発生した時に、アップリンク−ダウンリンク・デカップリングの発生が遅すぎることに起因して無線リンク障害がダウンリンクで発生したと判定するステップを含み、アクションを開始するステップが、以前より早くアップリンク−ダウンリンク・デカップリングを実行するようにユーザ機器の制御を最適化するステップを含む。
【００４７】
一実施形態では、判定するステップは、アップリンク−ダウンリンク・デカップリングの開始の後で、しきい量の時間内に無線リンク障害がダウンリンクで発生した時に、アップリンク−ダウンリンク・デカップリングの発生が早すぎることに起因して無線リンク障害がダウンリンクで発生したと判定するステップを含み、アクションを開始するステップが、以前より遅くアップリンク−ダウンリンク・デカップリングを実行するようにユーザ機器の制御を最適化するステップを含む。
【００４８】
一実施形態では、無線リンク障害メッセージは、無線リンク障害が発生した時のダウンリンク・サービング・セルおよびアップリンク・サービング・セルの表示のうちの少なくとも１つを含む。
【００４９】
第４の態様によれば、無線遠隔通信ユーザ機器であって、ユーザ機器がアップリンク−ダウンリンク・アンバランス領域に近接する時に発生した無線リンク障害の原因を判定し、無線リンク障害の原因に応答して、アップリンク−ダウンリンク・アンバランス領域に近接する時のユーザ機器アップリンク−ダウンリンク・デカップリング−再カップリングの制御を最適化するためにアクションを開始するように動作可能な判定論理を含む、無線遠隔通信ユーザ機器が提供される。
【００５０】
一実施形態では、判定論理は、無線リンク障害が、アップリンク−ダウンリンク・デカップリングおよびアップリンク−ダウンリンク再カップリングのうちの１つが早すぎおよび遅すぎのうちの１つで発生することに起因してダウンリンクで発生したことを判定し、アップリンク−ダウンリンク・デカップリングおよびアップリンク−ダウンリンク再カップリングのうちの１つが早すぎおよび遅すぎのうちの１つで発生したことを示す無線リンク障害メッセージを送信することによってアクションを開始するように動作可能である。
【００５１】
一実施形態では、判定論理は、ユーザ機器のアップリンク−ダウンリンク・デカップリングの後で、しきい量の時間の後に無線リンク障害がダウンリンクで発生した時に、アップリンク−ダウンリンク再カップリングの発生が遅すぎることに起因して無線リンク障害がダウンリンクで発生したと判定し、以前より早くアップリンク−ダウンリンク再カップリングを実行するようにユーザ機器の制御を最適化することによりアクションを開始するように動作可能である。
【００５２】
一実施形態では、判定論理は、以前にアップリンクを受信したセルへのアップリンク−ダウンリンク再カップリングの後で、しきい量の時間内に無線リンク障害がダウンリンクで発生した時に、アップリンク−ダウンリンク再カップリングの発生が早すぎることに起因して無線リンク障害がダウンリンクで発生したと判定し、以前より遅くアップリンク−ダウンリンク再カップリングを実行するようにユーザ機器の制御を最適化することによりアクションを開始するように動作可能である。
【００５３】
一実施形態では、判定論理は、アップリンク−ダウンリンク・デカップリングに関して構成されることに続くしきい量の時間内であるが、アップリンク−ダウンリンク・デカップリングが発生する前に、無線リンク障害がダウンリンクで発生した時に、アップリンク−ダウンリンク・デカップリングの発生が遅すぎることに起因して無線リンク障害がダウンリンクで発生したと判定し、以前より早くアップリンク−ダウンリンク・デカップリングを実行するようにユーザ機器の制御を最適化することによりアクションを開始するように動作可能である。
【００５４】
一実施形態では、判定論理は、アップリンク−ダウンリンク・デカップリングの開始に続くしきい量の時間内に無線リンク障害がダウンリンクで発生した時に、アップリンク−ダウンリンク・デカップリングの発生が早すぎることに起因して無線リンク障害がダウンリンクで発生したと判定し、以前より遅くアップリンク−ダウンリンク・デカップリングを実行するようにユーザ機器の制御を最適化することによりアクションを開始するように動作可能である。
【００５５】
一実施形態では、無線リンク障害メッセージは、無線リンク障害が発生した時のダウンリンク・サービング・セルおよびアップリンク・サービング・セルの表示のうちの少なくとも１つを含む。
【００５６】
第５の態様によれば、コンピュータ上で実行される時に、第１の態様または第３の態様の方法ステップを実行するように動作可能なコンピュータ・プログラム製品が提供される。
【００５７】
さらなる特定の好ましい態様は、添付の独立請求項および従属請求項に示されている。従属請求項の特徴を、適宜、および特許請求の範囲に明示的に示されていない他の特徴と組み合わせて、独立請求項の特徴と組み合わせることができる。
【００５８】
装置特徴が、機能を提供するように動作可能として説明される時には、これが、その機能を提供する装置特徴またはその機能を提供するように適合されもしくは構成された装置特徴を含むことを了解されたい。
【００５９】
本発明の実施形態を、これから、添付図面を参照してさらに説明する。
【図面の簡単な説明】
【００６０】
【図１】アップリンク−ダウンリンク・アンバランス領域を示す図である。
【図２】アップリンク−ダウンリンク・デカップリングを示す図である。
【発明を実施するための形態】
【００６１】
概要
諸実施形態をより詳細に説明する前に、まず、概要を提供する。諸実施形態は、これによって無線リンク障害の原因または理由が識別され、アップリンク−ダウンリンク・デカップリングまたは再カップリングの動作を改善するために追加の情報が利用される技法を提供する。具体的には、無線リンク障害が発生する時に、ユーザ機器がアップリンク−ダウンリンク・アンバランス領域に近接するかどうかを識別し、そうである場合に、無線リンク障害のありそうな原因を判定する論理が、ユーザ機器およびネットワーク内で提供される。その後、この原因を、デカップリング手順または再カップリング手順の動作を制御する責任を負うネットワーク・ノード（基地局など）にシグナリングすることができ、その結果、そのような無線リンク障害が将来に発生するのを防ぐために、それらの手順を最適化できるようになる。通常、障害は、デカップリング手順または再カップリング手順が早すぎるか遅すぎるかのいずれかで発生することに起因して発生する。最適化は、アップリンク境界またはダウンリンク境界の位置が移動するように送信電力を変更するか、デカップリング手順または再カップリング手順を開始するさまざまな測定レポートの送信をトリガするユーザ機器内のパラメータを変更するかのいずれかを行う。これらの最適化は、将来のそのような無線リンク障害の発生を減らすために、デカップリング手順または再カップリング手順が正しい時に発生することを保証するのを助ける。
【００６２】
諸実施形態は、（アップリンク−ダウンリンク）ＵＬ−ＤＬデカップリング問題の検出のための論理をユーザ機器およびネットワーク内に導入し、その後、この検出の結果を使用して、ＵＬ−ＤＬデカップリングおよび／もしくは再カップリングを報告しかつ／もしくは実行する時に、ＵＬ−ＤＬアンバランス領域の境界を適当に調整し、かつ／またはユーザ機器のパラメータを調整する。
【００６３】
ネットワークが最適に構成されたＵＬ−ＤＬアンバランス領域を有しないことのありそうな影響の１つは、特にユーザ機器がＵＬ−ＤＬアンバランス領域の付近またはその中にある時に、ユーザ機器がダウンリンク無線リンク障害（ＲＬＦ）を経験する割合の増加である。同様に、ネットワークがＵＬ−ＤＬアンバランス領域の付近またはその中にあるユーザ機器からのアップリンクＲＬＦを経験する割合の増加もある可能性がある。
【００６４】
したがって、諸実施形態は、不適切に構成されたＵＬ境界およびＤＬ境界ならびに／またはＵＬ−ＤＬデカップリング／再カップリング・パラメータによって引き起こされた可能性が高いＲＬＦを検出し、後にこの情報を使用してアンバランス領域の境界を最適化し、かつ／またはＵＬ−ＤＬデカップリング／再カップリング・パラメータを調整する論理を提供する。
【００６５】
ＵＬ−ＤＬデカップリング・アクティブ化（デカップリング）およびデカップリング非アクティブ化（再カップリング）に関して、ＵＬおよびＤＬに関連するシナリオがある。下で定義されるシナリオでは、ＲＬＦへの言及が、包括的であり、下記を指すことを了解されたい。
ａ）Ｌｏｎｇ  Ｔｅｒｍ  Ｅｖｏｌｕｔｉｏｎ（ＬＴＥ）ネットワーク配置に関する特定のユーザ機器ＲＬＦ報告特徴、または
ｂ）Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）配置に関する、原因に「ＲａｄｉｏＬｉｎｋＦａｉｌｕｒｅ」をセットされたユーザ機器からのＲａｄｉｏ  Ｒｅｓｏｕｒｃｅ  Ｃｏｎｎｅｃｔｉｏｎ（ＲＲＣ）Ｃｅｌｌ  Ｕｐｄａｔｅメッセージの無線ネットワーク制御装置（ＲＮＣ）による受信。
【００６６】
ダウンリンク障害
ＤＬに関して、可能な報告可能なＲＬＦの範囲が定義され、そのそれぞれについて、ＵＬ−ＤＬ構成の対応する最適化が可能である。
【００６７】
１）ＵＬ−ＤＬ再カップリング（デカップリング非アクティブ化）の発生が遅すぎる
このシナリオでは、ユーザ機器のダウンリンクは、セルＡによって処理され、アップリンクはセルＢによって処理される。この遅い非アクティブ化は、ユーザ機器がＵＬ−ＤＬデカップリンクの既存のアクティブ構成を有し、長い時間期間にわたってダウンリンクがセルＡによって処理され、アップリンクがセルＢによって処理される状態に留まった後にＤＬ  ＲＬＦが発生する時に、ユーザ機器上の論理によって検出され、このシナリオでは、ＵＥは、セルＢまたはセルＡのいずれかへの無線リンク接続全体を再確立することを試みる。最適化は、ＵＬ−ＤＬ再カップリングが現在構成されているものより早く発生するようにするために、ＵＬ−ＤＬ再カップリングを報告しかつ／もしくは実行する時に、ＵＬ−ＤＬアンバランス領域の境界を調整すること、および／またはユーザ機器のパラメータを調整することである。
【００６８】
２）ＵＬ−ＤＬ再カップリング（デカップリング非アクティブ化）のトリガが早すぎる
このシナリオでは、ユーザ機器のダウンリンクは、セルＡによって処理され、アップリンクはセルＢによって処理される。この早い非アクティブ化は、ＤＬおよびＵＬの両方がセルＢによって処理されるように基地局（ｅＮＢ）がＵＬ−ＤＬデカップリングを非アクティブ化したすぐ後（すなわち、ＵＬおよびＤＬが再カップリングされ、セルＢによって処理される時）にＤＬ  ＲＬＦがユーザ機器内で発生する時に、ユーザ機器上の論理によって検出される。最適化は、ＵＬ−ＤＬ再カップリングが現在構成されているものより遅く発生するようにするために、ＵＬ−ＤＬ再カップリングを報告しかつ／もしくは実行する時に、ＵＬ−ＤＬアンバランス領域の境界を調整すること、および／またはユーザ機器のパラメータを調整することである。
【００６９】
３）ＵＬ−ＤＬデカップリング・アクティブ化の発生が遅すぎる
基地局（ｅＮＢ）がＵＬ−ＤＬデカップリングについてユーザ機器を構成したすぐ後に、ＤＬ  ＲＬＦがユーザ機器内で検出されるが、デカップリングがまだアクティブ化されていない。最適化は、ＵＬ−ＤＬデカップリングが現在構成されているものより早く発生するようにするために、ＵＬ−ＤＬデカップリングを報告しかつ／もしくは実行する時に、ＵＬ−ＤＬアンバランス領域の境界を調整すること、および／またはユーザ機器のパラメータを調整することである。
【００７０】
４）ＵＬ−ＤＬデカップリング・アクティブ化のトリガが早すぎる
ＤＬ  ＲＬＦは、ＵＬ−ＤＬがデカップリングされたか、デカップリング手順のアクティブ化中に障害が実際に発生したすぐ後に、ユーザ機器によって検出され、ユーザ機器は、元々結合されていたセルへの無線リンク接続を再確立することを試みる。最適化は、ＵＬ−ＤＬデカップリングが現在構成されているものより遅く発生するようにするために、ＵＬ−ＤＬデカップリングを報告しかつ／もしくは実行する時に、ＵＬ−ＤＬアンバランス領域の境界を調整すること、および／またはユーザ機器のパラメータを調整することである。
【００７１】
ユーザ機器がＤＬ上でＡＣＫまたはＮＡＣＫを受信しない時に、ＵＬ−ＤＬデカップリング・アクティブ化手順中の障害が検出されるはずであることを了解されたい。
【００７２】
上の４つのシナリオに関して、ユーザ機器は、通常、成功したＲＲＣ再確立の後に基地局（ｅＮＢ）に新しいＲＬＦレポートを提供し（ＬＴＥ配置について）、あるいは、ＵＥは、成功したＣｅｌｌ  Ｕｐｄａｔｅ手順中に基地局（Ｎｏｄｅ  Ｂ）に新しいＲＬＦレポートを提供することができる（ＵＭＴＳ配置について）。ＲＬＦレポートは、通常、障害の可能な原因および／または可能な最適化を示すことができる。ＲＬＦレポート内に含まれる無線測定値は、ネットワーク内に導入される論理によって、障害の潜在的な原因としてＵＬ−ＤＬアンバランス領域を識別するのに使用され得る。
【００７３】
したがって、諸実施形態は、ＲＬＦを検出する時にネットワークに追加情報を提供する、ユーザ機器内の論理を提供し、ＲＬＦがＵＬ−ＤＬデカップリングに起因したことを示すため、およびユーザ機器がＵＬにセル識別子を提供することを可能にするために、ユーザ機器のＲＬＦレポート・メッセージまたはＣｅｌｌ  Ｕｐｄａｔｅメッセージ内に、新しい情報要素が導入される。
【００７４】
さらに、諸実施形態は、ユーザ機器からＲＬＦレポートを受信するセルが、ＲＬＦ  ＩＮＤＩＣＡＴＩＯＮタイプ・メッセージ内でユーザ機器から受信された情報を、ＵＬ−ＤＬデカップリングをアクティブ化しまたは非アクティブ化するために以前のＨＳ−ＳＣＣＨオーダーを送信したセルに転送するようになる、ネットワーク内の論理を導入する。あるいは、ＲＬＦレポートを受信するセルが、ＵＬ−ＤＬデカップリングをアクティブ化しまたは非アクティブ化したセルである場合に、そのセルは、ユーザ機器によって提供された情報をそれ自体で使用する。
【００７５】
アップリンク障害
ＵＬについて、可能な報告可能なＲＬＦの範囲が定義され、そのそれぞれについて、ＵＬ−ＤＬ構成の対応する最適化が可能である。
【００７６】
１）ＵＬ−ＤＬデカップリング・アクティブ化の発生が遅すぎる
これは、ユーザ機器からの強いＵＬ干渉と、それに続く、隣接するマクロ・セルからのユーザ機器のハンドオーバおよび強いＵＬ干渉の除去とを経験するスモール・セル内で検出される。スモール・セルは、強い干渉を生成しつつあったユーザ機器が、今はそのスモール・セルにハンド・オーバーされていると仮定することができる。最適化は、ＵＬ−ＤＬデカップリングが現在構成されているものより早く発生するようにするために、ＵＬ−ＤＬデカップリングを報告し、かつ／または実行する時に、ＵＬ−ＤＬアンバランス領域の境界を調整することおよび／またはユーザ機器のパラメータを調整することである。
【００７７】
ソフト・ハンドオーバ（ＳＨＯ）が使用可能なＵＭＴＳでは、スモール・セルは、ユーザ機器アップリンク信号を復調できるはずである。たとえばユーザ機器がスモール・セルをアクティブ・セットに追加する時のユーザ機器パイロット電力とＵＬ−ＤＬデカップリング・アクティブ化が発生する時のユーザ機器パイロット電力との差を使用することによって、ユーザ機器パイロット電力がしきい値より多い量だけパワー・ダウンされる（Ｉｎｎｅｒ  Ｌｏｏｐ  Ｐｏｗｅｒ  Ｃｏｎｔｒｏｌ（ＩＬＰＣ）によって）場合に、ＵＬ−ＤＬデカップリング・アクティブ化は、遅すぎると考えられる。
【００７８】
ＳＨＯが使用可能なＵＭＴＳでのもう１つの方法は、ＵＬ−ＤＬアクティブ化が発生する時に、サービング・マクロ・セルのアップリンク信号がしきい値未満になる時である。
【００７９】
２）ＵＬ−ＤＬ再カップリング（デカップリング・非アクティブ化）のトリガが早すぎる
これは、ＵＬ−ＤＬデカップリング非アクティブ化（両方のリンクが、マクロに戻って再カップリングされる）の直後のユーザ機器からの強いＵＬ干渉と、それに続く隣接マクロ・セルからのユーザ機器のハンドオーバおよび強いＵＬ干渉の除去とを経験するスモール・セル内で検出される。スモール・セルは、強い干渉を生成するユーザ機器が、今はそのスモール・セルにハンド・オーバーされていると仮定することができる。最適化は、ＵＬ−ＤＬ再カップリングが現在構成されているものより遅く発生するようにするために、ＵＬ−ＤＬデカップリングを報告し、かつ／または実行する時に、ＵＬ−ＤＬアンバランス領域の境界を調整することおよび／またはユーザ機器のパラメータを調整することである。
【００８０】
上の２つのケースでは、諸実施形態は、スモール・セル基地局上の論理を利用して、これらの問題がいつ発生するのかを判定し、さらに、ハンドオーバの前に、ＵＬ−ＤＬデカップリングのアクティブ化が遅すぎたまたは再カップリングが早すぎたとスモール・セルが判定したことを助言するための情報を含むタイプのＲＬＦ  ＩＮＤＩＣＡＴＩＯＮメッセージをマクロ・セルに送信する。
【００８１】
３）ＵＬ−ＤＬ再カップリング（デカップリング非アクティブ化）の発生が遅すぎる
ＵＬ上のＲＬＦは、ユーザ機器の既存のデカップリングが非アクティブ化された（すなわち、ＵＬ−ＤＬが再カップリングされた）直後に、マクロ・セル内またはスモール・セル内のいずれかで検出される。あるいは、ＵＬ−ＤＬデカップリングの既存のアクティブ構成が、長期間にわたって存在し、その後、ＲＬＦが、マクロ・セルまたはスモール・セルのいずれかによって検出される。最適化は、ＵＬ−ＤＬ再カップリングが現在構成されているものより早く発生するようにするために、ＵＬ−ＤＬ再カップリングを報告し、かつ／または実行する時に、ＵＬ−ＤＬアンバランス領域の境界を調整することおよび／またはユーザ機器のパラメータを調整することである。
【００８２】
４）ＵＬ−ＤＬデカップリング・アクティブ化のトリガが早すぎる
ＵＬ上のＲＬＦは、デカップリング・アクティブ化のすぐ後に、マクロ・セル内またはスモール・セル内のいずれかで検出される。最適化は、ＵＬ−ＤＬデカップリングが現在構成されているものより遅く発生するようにするために、ＵＬ−ＤＬデカップリングを報告し、かつ／または実行する時に、ＵＬ−ＤＬアンバランス領域の境界を調整することおよび／またはユーザ機器のパラメータを調整することである。
【００８３】
上の２つのケースでは、諸実施形態は、このケースではＵＬ−ＤＬデカップリングの非アクティブ化が早／遅すぎたまたはデカップリングのアクティブ化が早／遅すぎたことをセルが検出したことを助言するために、問題を引き起こすセルにあるタイプのＲＬＦ  ＩＮＤＩＣＡＴＩＯＮメッセージを報告できるように、問題を検出する、セル内の論理を利用する。
【００８４】
デカップリングのアクティブ化または非アクティブ化に起因するＵＬおよびＤＬの問題は、ｅＮＢとユーザ機器とで同時に検出される可能性があり、したがって、ある種のシナリオの下では、ユーザ機器検出とネットワーク検出との組合せが、ＵＬ−ＤＬデカップリングに関する問題があることの機能強化された表示を提供する。
【００８５】
一実施形態では、ＲＬＦ  ＩＮＤＩＣＡＴＩＯＮタイプ・メッセージを、検出するセルから受信するセルに、
ｃ）障害が検出されるたびに、
ｄ）ある時間期間内に定義されたしきい回数の障害が発生した後に（この場合に、検出するセルは、受信するセルに障害検出情報のグループを送信する）
ｅ）ある時間期間内に定義されたしきい回数の障害を超えた後に限って
送信することができる。
【００８６】
ＵＬ−ＤＬデカップリング問題に関する情報が、ＵＬ−ＤＬデカップリング／再カップリングを実行するためにＨＳ−ＳＣＣＨオーダーをトリガする責任を負うセルによって受信された後に、そのセルは、ＵＬ−ＤＬデカップリング／再カップリングを報告し、かつ／または実行する時に、ＵＬ−ＤＬアンバランス領域のＵＬ境界およびＤＬ境界を適当に調整し、かつ／またはユーザ機器のパラメータを調整することができる。
【００８７】
例の動作
図２に、そのＵＬおよびＤＬをデカップリングされたユーザ機器を示す。この配置では、マクロ・セルが、ＤＬに使用され、スモール・セルが、ＵＬに使用される。この例では、ＵＬ−ＤＬ再カップリング（デカップリング非アクティブ化）の発生が、遅すぎる。
【００８８】
ユーザ機器は、マクロ・セルによってＵＬ−ＤＬデカップリングについてアクティブ化されており、ＤＬがマクロ・セルからであり、ＵＬがスモール・セルからであるこの状況が、しばらく続いた。
【００８９】
ＬＴＥに関して、ある点で、ユーザ機器は、ＤＬ  ＲＬＦを検出し、スモール・セルへの無線リンク接続を再確立し、ユーザ機器は、下記をＲＬＦレポート内で示す。
・最後のＤＬサービング・セルが、マクロ・セルであった、
・ＵＥ  ＲＬＦレポート値内の新しいｃｏｎｎｅｃｔｉｏｎＦａｉｌｕｒｅＴｙｐｅ（たとえば、ＵＤＤＦ（ＵＬ−ＤＬデカップリング障害））、および
・ＵＬサービング・セル情報（たとえば、スモール・セルのセルＩｄ）も、新しい情報要素として要求される。
【００９０】
この例では、スモール・セルは、ＵＬのＲＬＦをも検出する。スモール・セルは、ユーザ機器ＲＬＦレポートを含むＲＬＦ  Ｉｎｄｉｃａｔｉｏｎ  Ｐｒｏｃｅｄｕｒｅによって、このイベントをマクロ・セルに報告する。ＬＴＥに関して、ＲＬＦ  Ｉｎｄｉｃａｔｉｏｎメッセージを、スモール・セルからマクロ・セルに直接に（Ｘ２インターフェースを介して）、またはコア・ネットワーク（ＣＮ）を介してすなわち、スモール・セルとＭｏｂｉｌｉｔｙ  Ｍａｎａｇｅｍｅｎｔ  Ｅｎｔｉｔｙ（ＭＭＥ）との間およびＭＭＥとマクロ・セルとの間のＳ１インターフェースを介してのいずれかで送信することができる。
【００９１】
その後、マクロ・セルは、ＲＬＦ  ＩＮＤＩＣＡＴＩＯＮメッセージからの情報を使用して、障害がサービング（マクロ）セル内で発生したかどうかを判定することができる。
【００９２】
マクロ・セルは、ユーザ機器が姿を消す前にユーザ機器との最後の２〜３個のメッセージおよび相互作用を保存し終え、これによって、最後のＤＬメッセージが、ＵＬ−ＤＬデカップリングのアクティブ化であったことを知り、マクロ・セルがＵＬ−ＤＬデカップリングをより早く非アクティブ化した場合に問題を回避できたかどうかを判定できると期待される。
【００９３】
ＵＭＴＳに関して同一のシナリオを使用すると、ユーザ機器は、ＤＬ  ＲＬＦを検出し、ＣＥＬＬ  ＵＰＤＡＴＥ手順を使用して、スモール・セルへの無線リンク接続を再確立する。スモール・セルとマクロ・セルとの間の報告を、ＲＡＤＩＯ  ＬＩＮＫ  ＦＡＩＬＵＲＥ  ＩＮＤＩＣＡＴＩＯＮメッセージを使用して達成することができる。この場合に、ＲＡＤＩＯ  ＬＩＮＫ  ＦＡＩＬＵＲＥ  ＩＮＤＩＣＡＴＩＯＮメッセージを、Ｉｕｂ／ＩｕｈインターフェースおよびＩｕインターフェースを介してスモール・セルからマクロ・セルに送信することができる。
【００９４】
当業者は、さまざまな上で説明された方法のステップを、プログラムされたコンピュータによって実行できることを、たやすく認めるはずである。本明細書では、いくつかの実施形態は、機械可読またはコンピュータ可読であり、機械実行可能またはコンピュータ実行可能なプログラムまたは命令を符号化するプログラム記憶デバイス、たとえばデジタル・データ記憶媒体を包含することも意図され、前記命令は、前記上で説明された方法のステップの一部またはすべてを実行する。プログラム記憶デバイスは、たとえば、デジタル・メモリ、磁気ディスクおよび磁気テープなどの磁気記憶媒体、ハード・ドライブ、または光学的に可読のデジタル・データ記憶媒体とすることができる。諸実施形態は、上で説明された方法の前記ステップを実行するようにプログラムされたコンピュータを包含することも意図されている。
【００９５】
「プロセッサ」または「論理」としてラベルを付けられたすべての機能ブロックを含む、図面に示されたさまざまな要素の機能を、専用ハードウェアならびに適当なソフトウェアに関連してソフトウェアを実行することのできるハードウェアの使用を介して提供することができる。プロセッサによって提供される時に、機能を、単一の専用プロセッサによって、単一の共有プロセッサによって、またはその一部が共有され得る複数の個々のプロセッサによって、提供することができる。さらに、用語「プロセッサ」、「コントローラ」、または「論理」の明示的な使用は、ソフトウェアを実行することができるハードウェアを排他的に指すと解釈されてはならず、ディジタル信号プロセッサ（ＤＳＰ）ハードウェア、ネットワーク・プロセッサ、特定用途向け集積回路（ＡＳＩＣ）、フィールド・プログラマブル・ゲート・アレイ（ＦＰＧＡ）、ソフトウェアを記憶する読取専用メモリ（ＲＯＭ）、ランダム・アクセス・メモリ（ＲＡＭ）、および不揮発性ストレージを、限定なしに暗黙のうちに含むことができる。通常のおよび／またはカスタムの、他のハードウェアを含むこともできる。同様に、図面に示されたすべてのスイッチは、概念的であるに過ぎない。その機能を、プログラム論理の動作を介して、専用論理を介して、プログラム制御と専用論理との相互作用を介して、または手動でさえ、実行することができ、特定の技法は、文脈からより具体的に理解されるように、実装者によって選択可能である。
【００９６】
当業者は、本明細書のすべてのブロック図が、本発明の原理を実施する例示的な回路網の概念図を表すことを了解するに違いない。同様に、すべてのフロー・チャート、流れ図、状態遷移図、擬似コード、および類似物は、コンピュータ可読媒体内で実質的に表され得、したがって、明示的に図示されたものであってもなくても、コンピュータまたはプロセッサによって実行され得るさまざまなプロセスを表すことを了解されたい。
【００９７】
この説明および図面は、単に、本発明の原理を例示するものである。したがって、当業者が、本明細書で明示的には説明されず、図示されないが、本発明の原理を実施し、その趣旨および範囲に含まれるさまざまな配置を考案できることを了解されたい。さらに、本明細書で列挙されたすべての例は、主に、明白に、本発明の原理および当技術を促進するために本発明人によって寄与される概念を読者が理解するのを助ける教育的目的のみのためのものであり、そのような具体的に列挙された例および条件への限定なしに解釈されなければならない。さらに、本発明の原理、態様、および実施形態ならびにその特定の例を列挙する本明細書のすべての言説は、その同等物を包含することが意図されている。
【図１】
0006276395.tif 000002
【図２】
0006276395.tif 000003